(57)【要約】【目的】ハサミ、カッター等で簡単に切る事が出来、ゴムホースの様に自由に曲がる塩化ビニール等の材質で出来た配管パイプカバーの片側に、ハサミ、カッター等で切れる位の硬さの塩化ビニール、ポリエチレン等の材質で出来た、壁面取り付け部を設け、壁面取り付け部にすき間遮断部、配管パイプカバーに壁面取り付け具を設ける事により、エアコンの取り付け工事をする時に取り付け工事が容易になり、さらに、耐久性があり、見た目もきれいな配管パイプカバーを提供する。【構成】ハサミ、カッター等で簡単に切る事が出来、ゴムホースの様に自由に曲がる塩化ビニール等の材質で出来た配管パイプカバーの片側に、ハサミ、カッター等で切れる位の硬さの塩化ビニール、ポリエチレン等の材質で出来た、壁曲取り付け部を設け、壁面取り付け部にすき間遮断部、配管パイプカバーに壁面取り付け具を設けている事を特徴としている。【選択図】　　図１
2004138233.tif 000002
【特許請求の範囲】
【請求項１】
ハサミ、カッター等で簡単に切れる位の硬さで、ゴムホースの様に自由に曲がる塩化ビニール等の材質で出来たパイプの片側に、ハサミ、カッター等で切れる位の硬さの塩化ビニール、ポリエチレン等の材質で出来た、壁面取り付け部を設けた事を特徴とする、エアコン用の配管パイプカバー。
【請求項２】
前記、壁面取り付け部にネジ穴を設けた事を特徴とする、請求項１に記載のエアコン用の配管パイプカバー。
【請求項３】
前記、壁面取り付け部にウレタン、ゴム、スポンジ等の材質で出来た、すき間遮断部を設けた事を特徴とする、請求項１〜請求項２のうちのいずれか１項に記載のエアコン用の配管パイプカバー。
【請求項４】
前記、パイプに壁面取り付け具を設けた事を特徴とする、請求項１〜請求項３のうちのいずれか１項に記載のエアコン用の配管パイプカバー。
【請求項５】
前記パイプと壁面取り付け部が別々に分かれていて、エアコンの取り付け工事をする時に、パイプに壁面取り付け部を差し込み、パイプと壁面取り付け部を接着剤、止め具等により一体にする事が出来る構造になっている事を特徴とする、請求項１〜請求項４のうちのいずれか１項に記載の配管パイプカバー。
【発明の詳細な説明】
【０００１】
【産業上の利用分野】
本発明は、セパレートエアコンの取付工事をする時、取付工事が容易になり、耐久性があり、見た目もきれいなエアコン用の配管パイプカバーに関するものである。
【０００２】
【従来の技術】
従来、セパレートエアコンのフレアーパイプ、電線、ドレンホースを一つにまとめるために、それらをビニールテープで巻く工事方法と、フレアーパイプ、電線、ドレンホースを一つにして、それらに配管化粧カバーを取り付ける工事方法があった。
【０００３】
【発明が解決しようとする課題】
これは、次のような欠点があった。
（１）フレアパイプ、電線、ドレンホースを一つにするために、工事をする人がそれらをビニールテープで巻く時に非常に手間がかかっていた。
（２）フレアパイプ、電線、ドレンホースをビニールテープで巻いた場合、ビニールテープの耐久性が悪くて、ビニールテープが数年で破れてしまったり、ビニールテープがほつれてしまう事があった。
（３）配管パイプと配管パイプが通る壁の穴のすき間をうめる為に、すき間にパテを詰めていたが、パテが数年位で取れてしまったり、パテにホコリ等が付いて数年で色が黒くなったりして見た目がわるかった。
（４）配管パイプに配管化粧カバーを取り付ける場合、曲がった配管パイプの所に配管化粧カバーを取り付ける場合は、曲がった所専用の配管化粧カバーが必要になり、それを取り付けるのに手間がかかり又、金額的にも高くなっていた。
（５）配管化粧カバーを取り付ける場合、配管パイプが通る壁の穴が窓、屋根等のギリギリの所にある場合、配管化粧カバーの一部が窓、屋根等に当たってしまい配管化粧カバーを取り付ける事が出来なかった。
（６）配管パイプが通る壁の穴の回りに壁の構造上で、凹凸がある壁に配管化粧カバーを取り付ける場合、配管化粧カバーと壁の間にすき間が出来てしまい、そのすき間から外の空気や虫等が配管パイプが通る壁の穴から室内に入ってしまう事があった。又、そのすき間をうめる為に接着剤等を使ってすき間をうめていたので、工事に手間がかかっていた。
（７）配管化粧カバーは幾つかの部品を組み立てる事によって一つになっていたので、それらの部品を組み立てた時に部品と部品の間にすき間が出来てしまい、そのすき間をうめるために接着剤等を使ってすき間をうめていた。
（８）配管化粧カバーを取り付けた場合、配管化粧カバーの下の方から出た所の配管パイプと、室外機につながっている所の配管パイプの間を全部ビニールテープで巻かなければならなかったので、取り付け工事に手間がかかった。
（９）従来の配管化粧カバーは硬い材質で出来ていたので、長さを調節する場合、糸のこぎり等を使って切らないと切れないので、配管化粧カバーの長さを調節する時は、工事に手間がかかった。
【０００４】
【課題を解決するための手段】
以上の欠点を無くすために本発明のエアコン用の配管パイプカバーにおいては、ハサミ、カッター等で簡単に切れる位の硬さでゴムホースの様に自由に曲がる、塩化ビニール等の材質で出来たパイプの片側に、ハサミ、カッター等で切れる位の硬さの塩化ビニール、ポリエチレン等の材質で出来た壁面取り付け部を設け、壁面取り付け部にネジ穴とウレタン、ゴム、スポンジ等の材質で出来たすき間遮断部を設け、さらにパイプに壁面取り付け具を設ける。又、パイプと壁面取り付け部は別々に分かれていて、エアコンの取り付け工事をする時に、パイプと壁面取り付け部を接着剤、止め具等により一体にする事が出来る構造になっている。
【０００５】
【作用】
エアコンの取付工事をする時、室内機に配管パイプをつなげ、壁の穴から配管パイプを室外に出したら、何本かの配管パイプを一つにまとめて、室外機につなげる方向から配管パイプカバーを壁面の所まで差し込み、壁面取り付け部をネジで壁面に取り付け、配管パイプを室外機に取り付ける所の長さで配管パイプカバーをハサミ、又はカッター等で切る。すると、エアコンの取り付け工事をする時に工事業者がより簡単で楽に取り付け工事が出来、金額的にも安く、耐久性もあり、配管の見た目も良い工事が出来る。
又、壁面取り付け部にすき間遮断部を設ける事により、壁面取り付け部をネジで壁面に取り付けた時、壁面に凹凸があってもすき間を無くす事が出来るので、外の空気や虫等がすき間から室内に入らない様にする事が出来る。
【０００６】
【実施例】
実施例１
実施例１を第１図に基づいて説明する。実施例１のエアコン用配管パイプカバーは、配管パイプカバー（１）に壁面取り付け部（２）を設け、壁面取り付け部（２）にすき間遮断部（３）、ネジ穴（４）を設けている。
これを使用する時は、エアコンの工事をする時、室内機に配管パイプをつなげ、壁の穴から配管パイプを室外に出したら、何本かの配管パイプを一つにまとめて、室外機につなげる方向から配管パイプカバー（１）を壁面の所まで差し込み、壁面取り付け部（２）をネジで壁面に取り付け、配管パイプを室外機に取り付ける所の長さで配管パイプカバー（１）をハサミ、又はカッター等で切る。すると、エアコンの取り付け工事をする時に工事業者がより簡単で楽に取り付け工事が出来、金額的にも安く、耐久性もあり、配管の見た目も良い工事が出来る。
又、壁面取り付け部（２）にすき間遮断部（３）を設ける事により、壁面取り付け部（２）をネジで壁面に取り付けた時、壁面に凹凸があってもすき間を無くす事が出来るので、外の空気や虫等がすき間から室内に入らない様にする事が出来る。
実施例２
実施例２を第２図に基づいて説明する。実施例２では配管パイプカバー（１）に壁面取り付け具（５）を設けている。壁面取り付け具（５）がある事により、配管パイプカバー（１）をネジで壁面に固定する事が出来る。又、配管パイプカバー（１）を壁面に固定する時に他の取り付け具を使用しなくても済む。
実施例３
実施例３を第３図に基づいて説明する。実施例３では配管パイプカバー（１）と壁面取り付け部（２）が別々に分かれていて、エアコンの取り付け工事をする時に、配管パイプカバー（１）と壁面取り付け部（２）を接着剤、止め具等により一体にする事が出来る構造になっている。
【０００７】
【発明の効果】
本発明は、以上説明したように構成されているので、以下に記載されるような効果を奏する。
ハサミ、カッター等で簡単に切る事が出来、ゴムホースの様に自由に曲がる塩化ビニール等の材質で出来た配管パイプカバーの片側に、ハサミ、カッター等で切れる位の硬さの塩化ビニール、ポリエチレン等の材質で出来た、壁面取り付け部を設ける事により、エアコン工事の時にエアコンの配管パイプにビニールテープを巻く手間もかからず、配管パイプカバーが自由に曲がるので、配管パイプが曲がっていても簡単に取り付け出来、塩化ビニール等の材質で出来ているので、従来のビニールテープの様に破れてしまう事も無く、耐久性もあり、ハサミ、カッター等で簡単に切れるので、長さの調節も簡単に出来る。
又、配管パイプが通る壁の穴の近くに窓や屋根がある場合でも、壁面取り付け部をハサミ、カッター等で切り、窓や屋根に当たらない様に取り付ける事も出来る。又、壁面取り付け部を設ける事により、配管パイプと配管パイプが通る壁の穴の間にすき間が出来ないので、従来の様にすき間にパテを詰めなくて済む。
又、壁面取り付け部にすき間遮断部を設ける事により、壁面取り付け部をネジで壁面に取り付けた時、壁面に凹凸があってもすき間を無くす事が出来るので、外の空気や虫等がすき間から入らない様にする事が出来る。
【図面の簡単な説明】
【図１】実施例１を示す図である。
【図２】実施例２を示す図である。
【図３】実施例３を示す図である。
【符号の説明】
１　配管パイプカバー
２　壁面取り付け部
３　すき間遮断部
４　ネジ穴
５　壁面取り付け具
【図１】
2004138233.tif 000003
【図２】
2004138233.tif 000004
【図３】
2004138233.tif 000005